(57)【要約】【課題】商品が傷みにくく、かつ、滑りにくい、軽量な陳列台を得るとともに、着脱が容易でずれにくい仕切り板を得る。【解決手段】陳列台２は、合成樹脂を発泡させて形成した独立気泡発泡体により構成され、直方体状に成型された本体３を備えている。本体３には、シート状のマット材４が上面３Ａ全面、正面３Ｂ全面および底面３Ｃの正面３Ｂ側の一部に寸法Ｌ１分延長して巻き込むように貼り付けられる。仕切り板５０は、陳列面５に当接する切欠部５１を備えた仕切り部５２と、この仕切り部５２の下端に設けられ仕切り部５２を陳列面５に対して直立させるベース部５３とを備えている。この仕切り板５０は、ベース部５３を取り付け方向に所定の寸法Ｌ２延長して延長部５３Ａを形成するようになっている。【選択図】図１
2007130152.tif 000002
【特許請求の範囲】
【請求項１】
商品を載置して陳列する陳列台の本体を、高摩擦性および非透水性を有する弾性復帰可能な緩衝性素材により構成したことを特徴とする陳列台。
【請求項２】
本体を、合成樹脂を発泡させて形成した独立気泡発泡体により構成したことを特徴とする請求項１に記載の陳列台。
【請求項３】
本体の表面には、合成樹脂を陳列台と異なる発泡倍率で独立気泡発泡させて形成されたマット材を貼着したことを特徴とする請求項２に記載の陳列台。
【請求項４】
本体の発泡倍率をマット材の発泡倍率より高くしたことを特徴とする請求項３に記載の陳列台。
【請求項５】
本体の外側と内側とを、発泡倍率を異ならせて形成したことを特徴とする請求項２に記載の陳列台。
【請求項６】
本体の内側を連続気泡発泡体により構成したことを特徴とする請求項２ないし５のうちいずれか１に記載の陳列台。
【請求項７】
本体は、合成樹脂を発泡させて形成した独立気泡発泡体のブロックを、所定の台の形状に切り出して成形されることを特徴とする請求項２ないし５のうちいずれか１に記載の陳列台。
【請求項８】
本体は、金型により一体成型して形成されることを特徴とする請求項２ないし６のうちいずれか１に記載の陳列台。
【請求項９】
表面にしぼ加工が施されることを特徴とする請求項３または８に記載の陳列台。
【請求項１０】
商品を載置して陳列する陳列台を、本体と、この本体の表面に設けられ合成樹脂を独立気泡発泡させて形成したマット材とを備えて構成したことを特徴とする陳列台。
【請求項１１】
陳列台の本体を、弾性復帰可能な緩衝性素材により構成したことを特徴とする請求項１０に記載の陳列台。
【請求項１２】
商品を載置して陳列する陳列台を、合成樹脂を発泡させて形成した独立気泡発泡体からなり内部に充填空間が形成される袋体と、この袋体の充填空間内に出し入れ可能に充填され袋体を所定の形状に整える緩衝物質とを備えて構成したことを特徴とする陳列台。
【請求項１３】
商品を載置して陳列する陳列台を、内部に充填空間が形成される袋体と、この袋体の充填空間内に出し入れ可能に充填され袋体を所定の形状に整える緩衝物質とを備えて構成するとともに、この袋体を、ゴム、ゲル、ナイロン、ビニール、塩化ビニール、非透水性布地のうちいずれか１により構成したことを特徴とする陳列台。
【請求項１４】
緩衝物質を、気体または液体からなる流動物質もしくはゼリー状ゲル物質のうち少なくともいずれか一方により、あるいは、選択された物質に他の物質を混入させて構成したことを特徴とする請求項１２または１３に記載の陳列台。
【請求項１５】
合成樹脂を、ポリエチレン、ポリプロピレン、ポリスチレン、ＡＢＳ樹脂、ウレタンフォーム、エラストマーのうちいずれか１を選択して、または、この選択された樹脂にこれら各樹脂のうち他の樹脂を混合して用いることを特徴とする請求項２ないし１２のうちいずれか１に記載の陳列台。
【請求項１６】
陳列台の外側にゲル物質による層を形成したことを特徴とする請求項１、１０、１２および１３のうちいずれか１に記載の陳列台。
【請求項１７】
発泡体の発泡倍率を、載置する商品に応じて設定したことを特徴とする請求項２、１０および１２のうちいずれか１に記載の陳列台。
【請求項１８】
陳列台の陳列面を仕切る仕切り板において、陳列面に当接する切欠部を備えた仕切り部と、この仕切り部下端に設けられ仕切り部を陳列面に対して直立させるベース部とを備えるとともに、ベース部を取り付け方向に延長して形成し、この延長部と切欠部とにより陳列台を挟持して仕切り板を取り付けることを特徴とする仕切り板。
【請求項１９】
請求項１ないし１７のうちいずれか１に記載の陳列台に装着されることを特徴とする請求項１８に記載の仕切り板。
【発明の詳細な説明】
【技術分野】
【０００１】
本発明は、商品を載置して陳列する陳列台と陳列台に取り付けられる仕切り板に関するものである。
【背景技術】
【０００２】
従来、百貨店やスーパー等で果物や野菜などの商品を載置して陳列する陳列台は、合成樹脂を成型してなる硬質の台から構成される（特許文献１参照。）。しかしながら、硬質の陳列台では、外部から力が加えられたり押し付けられたりすると傷みやすい商品、例えば、リンゴやミカンなどを陳列する場合、多数積み重ねると下側の商品が積み重ねによる重さで硬質の陳列面に押し付けられ、傷みやすいという問題がある。このため、現場では、硬質の陳列台上に、緩衝材としてシート状のマット材を敷き、このマット材の上に商品を陳列するようにしている。
【特許文献１】特開２０００−３５４５２９号公報（第３頁、図１）
【発明の開示】
【発明が解決しようとする課題】
【０００３】
しかしながら、上記従来の陳列台では、傷みやすい商品に合わせてシート状マット材を敷かなければならず、手間がかかるとともに、陳列台だけでなくマット材の保守管理作業が必要になるという問題がある。また、硬質の陳列台では、傷みにくい商品を陳列する場合、材質により陳列面が滑りやすく、特に水が付着すると、より滑りやすくなり、積み重ねて陳列することが難しいという問題がある。さらに仕切り板は、硬質の陳列台に合わせて取り付けられるようにしているため、硬質の陳列台にシート状のマット材を敷くと、取り付けにくくなったり、取り付けできないという問題がある。また、マット材として利用されるウレタン製の連続気泡発泡体では、安価な反面、水や野菜などの汁を吸収してしまい、管理に手間がかかるという問題がある。
【０００４】
本発明は、上記課題を解決するためになされたもので、商品が傷みにくく、かつ、滑りにくい、軽量な陳列台を提供することを目的とするものである。また、本発明は、陳列台に確実に取り付けることができかつ取り外しが容易な、しかも外力で簡単にずれることのない仕切り板を提供することを目的とするものである。
【課題を解決するための手段】
【０００５】
本発明の請求項１に係る陳列台は、商品を載置して陳列する陳列台の本体を、高摩擦性および非透水性を有する弾性復帰可能な緩衝性素材により構成したものである。
【０００６】
本発明の請求項１に係る陳列台では、商品を載置して陳列する陳列台の本体を、高摩擦性および非透水性を有する弾性復帰可能な緩衝性素材により構成したことにより、傷みやすい商品であっても傷つきにくくなる。陳列面に載せた商品は滑りにくいため、積み重ねて陳列しても崩れにくくなる。また、陳列面は水を透さないので、例え、水滴や商品から出る汁が付着しても内部にしみこむことがなく、容易に洗い流すことができ、保守管理作業が効率化される。
【０００７】
また、請求項２に係る陳列台は、本体を、合成樹脂を発泡させて形成した独立気泡発泡体により構成したものである。
【０００８】
本発明の請求項２に係る陳列台では、本体を、合成樹脂を発泡させて形成した独立発泡体により構成したことにより、商品が陳列される陳列面が緩衝性、復元性、高摩擦性、撥水性を備えることになる。このため、傷みやすい商品であっても傷つきにくく、陳列面は商品がなくなると凹みが残ることなく元の形状に復帰する。さらに、陳列面に載せた商品は滑りにくいため、積み重ねて陳列しても崩れにくくなる。また、陳列面は水をはじくので、例え、水滴や商品から出る汁が付着しても内部にしみこむことがなく、容易に洗い流すことができ、保守管理作業が効率化される。しかも、陳列台自体が発泡体から構成されているので、陳列台は軽量化される。
【０００９】
さらに、請求項３に係る陳列台は、本体の表面には、合成樹脂を陳列台と異なる発泡倍率で独立気泡発泡させて形成されたマット材を貼着したものである。
【００１０】
請求項３に係る陳列台では、本体の表面には、合成樹脂を本体と異なる発泡倍率で独立発泡させて形成されたマット材を貼着したことにより、緩衝性能を商品に応じて代えることができ、傷みやすい商品では、発泡倍率の高い、すなわち、柔らかく凹みやすいマット材を使用して、マット材側の緩衝作用と本体側の緩衝作用との両緩衝作用で商品を保護する。また、傷みにくい商品では、発泡倍率の低い、すなわち、緩衝性を有するものの、多少硬さを有するマット材を使用して、マット材の緩衝作用と陳列台の緩衝作用との両緩衝作用で商品を保護する。
【００１１】
請求項４に係る陳列台は、本体の発泡倍率をマット材の発泡倍率より高くしたものである。
【００１２】
請求項４に係る陳列台では、本体の発泡倍率をマット材の発泡倍率より高くしたことにより、緩衝性が向上し、陳列台が軽量化され、全体重量も軽量化される。
【００１３】
請求項５に係る陳列台は、本体の外側と内側とを、発泡倍率を異ならせて形成したものである。
【００１４】
請求項５に係る陳列台では、本体の外側と内側とを、発泡倍率を異ならせて形成したことにより、緩衝性能や陳列面の耐久性を商品に応じて変更することができ、加熱や加圧により外側を内側より低い発泡倍率に落として形成すると、外側の陳列面では、緩衝性は有するものの多少硬さが生じて耐久性が向上し、内側では、柔らかく凹みやすくなる。こうして、外側の比較的に硬い緩衝作用と内側の比較的に柔らかい緩衝作用との両緩衝作用で商品を保護する。
【００１５】
請求項６に係る陳列台は、本体の内側を連続気泡発泡体により構成したものである。
【００１６】
請求項６に係る陳列台では、本体の内側を連続気泡発泡体により構成したことにより、緩衝性が増大する。
【００１７】
請求項７に係る陳列台は、本体は、合成樹脂を発泡させて形成した独立気泡発泡体のブロックを、所定の台の形状に切り出して成形されるものである。
【００１８】
請求項７に係る陳列台では、本体は、合成樹脂を発泡させて形成した独立気泡発泡体のブロックを、所定の台の形状に切り出して成形されるようにしたことにより、型により射出成型で最終製品を成型する場合に比較して、型が不要となるので、コストダウンを図ることができる。また、きめ細かい注文に応じて所望の形状を切り出すことができ、製品が多様化される。
【００１９】
請求項８に係る陳列台は、本体が、金型により一体成型して形成されるようにしたものである。
【００２０】
請求項８に係る陳列台では、本体は、金型により一体成型して形成されるようにしたことにより、短時間で大量の均一な製品が得られ、コストダウンを図ることができる。
【００２１】
請求項９に係る陳列台は、表面にしぼ加工が施されるようにしたものである。
【００２２】
請求項９に係る陳列台では、表面にしぼ加工が施されるようにしたことにより、長時間使用しても傷が目立ちにくい。
【００２３】
本発明の請求項１０に係る陳列台は、商品を載置して陳列する陳列台を、本体と、この本体の表面に設けられ合成樹脂を独立気泡発泡させて形成したマット材とを備えて構成したものである。
【００２４】
本発明の請求項１０に係る陳列台では、商品を載置して陳列する陳列台を、本体と、この本体の表面に設けられ合成樹脂を独立気泡発泡させて形成したマット材とを備えて構成したことにより、本体がたとえ硬質のものであっても、陳列面にはマット材が設けられるので、陳列面に緩衝性、復元性、高摩擦性、撥水性を持たせることができる。
【００２５】
請求項１１に係る陳列台は、陳列台の本体を、弾性復帰可能な緩衝性素材により構成したものである。
【００２６】
請求項１１に係る陳列台では、陳列台の本体を、弾性復帰可能な緩衝性素材により構成したことにより、陳列面の外側だけでなく、陳列台の内側にも緩衝性と復元性を持たせることができ、表面にのみマット材が設けられる場合に比べて、緩衝性能および復元性能が向上する。
【００２７】
本発明の請求項１２に係る陳列台は、商品を載置して陳列する陳列台を、合成樹脂を発泡させて形成した独立気泡発泡体からなり内部に充填空間が形成される袋体と、この袋体の充填空間内に出し入れ可能に充填され袋体を所定の形状に整える緩衝物質とを備えて構成したものである。
【００２８】
本発明の請求項１２に係る陳列台では、商品を載置して陳列する陳列台を、合成樹脂を発泡させて形成した独立気泡発泡体からなり内部に充填空間が形成される袋体と、この袋体の充填空間内に出し入れ可能に充填され袋体を所定の形状に整える緩衝物質とを備えて構成したことにより、袋体に充填される緩衝物質に応じて緩衝性能を異ならせることができ、商品に応じて、緩衝物質を詰め替え、商品に適した緩衝性を確保することができる。しかも、陳列面には、緩衝性、復元性、高摩擦性、撥水性を持たせることができる。
【００２９】
請求項１３に係る陳列台は、商品を載置して陳列する陳列台を、内部に充填空間が形成される袋体と、この袋体の充填空間内に出し入れ可能に充填され袋体を所定の形状に整える緩衝物質とを備えて構成するとともに、この袋体を、ゴム、ゲル、ナイロン、ビニール、塩化ビニール、非透水性布地のうちいずれか１により構成したものである。
【００３０】
請求項１３に係る陳列台では、商品を載置して陳列する陳列台を、内部に充填空間が形成される袋体と、この袋体の充填空間内に出し入れ可能に充填され袋体を所定の形状に整える緩衝物質とを備えて構成するとともに、この袋体を、ゴム、ゲル、ナイロン、ビニール、塩化ビニール、非透水性布地のうちいずれか１により構成したことにより、袋体に充填される緩衝物質に応じて緩衝性能を異ならせることができ、商品に応じて、緩衝物質を詰め替え、商品に適した緩衝性を確保することができる。また、袋体の形成が容易なので、コストが低減される。
【００３１】
請求項１４に係る陳列台は、緩衝物質を、気体または液体からなる流動物質もしくはゼリー状ゲル物質のうち少なくともいずれか一方により、あるいは、選択された物質に他の物質を混入させて構成したものである。
【００３２】
請求項１４に係る陳列台では、緩衝物質を、気体または液体からなる流動物質もしくはゼリー状ゲル物質のうち少なくともいずれか一方により、あるいは、選択された物質に他の物質を混入させて構成したことにより、陳列する商品により適した緩衝物質を得ることができる。
【００３３】
請求項１５に係る陳列台は、合成樹脂を、ポリエチレン、ポリプロピレン、ポリスチレン、ＡＢＳ樹脂、ウレタンフォーム、エラストマーのうちいずれか１を選択して、または、この選択された樹脂にこれら各樹脂のうち他の樹脂を混合して用いるようにしたものである。
【００３４】
請求項１５に係る陳列台では、合成樹脂を、ポリエチレン、ポリプロピレン、ポリスチレン、ＡＢＳ樹脂、ウレタンフォーム、エラストマーのうちいずれか１を選択して、または、この選択された樹脂にこれら各樹脂のうち他の樹脂を混合して用いるようにしたことにより、ポリエチレンを用いた場合、製造コストの低減化を図ることができるとともに、抗紫外線性能が高く耐候性に優れるので、ランニングコストを削減することができる。さらに、他の合成樹脂に比較して軽量化の度合いが高い。また、ポリエチレン、ポリプロピレンまたはポリスチレンのポリオレフィンを用いた場合、塩素系有害物質の発生を抑え、環境に配慮した材料を使用することになる。また、鋸やカッターナイフで簡単に加工ができるので、多種多様な売り場の要求に対応することができる。
【００３５】
請求項１６に係る陳列台は、陳列台の外側にゲル物質による層を形成したものである。
【００３６】
請求項１６に係る陳列台では、陳列台の外側にゲル物質による層を形成したことにより、陳列面に載せられる商品は滑りにくくなる。
【００３７】
請求項１７に係る陳列台は、発泡体の発泡倍率を、載置する商品に応じて設定したものである。
【００３８】
請求項１７に係る陳列台では、発泡体の発泡倍率を、載置する商品に応じて設定したことにより、商品に応じた最適の陳列面を形成することができる。
【００３９】
本発明の請求項１８に係る仕切り板は、陳列台の陳列面を仕切る仕切り板において、陳列面に当接する切欠部を備えた仕切り部と、この仕切り部下端に設けられ仕切り部を陳列面に対して直立させるベース部とを備えるとともに、ベース部を取り付け方向に延長して形成し、この延長部と切欠部とにより陳列台を挟持して仕切り板を取り付けるようにしたものである。
【００４０】
本発明の請求項１８に係る仕切り板では、陳列台の陳列面を仕切る仕切り板において、陳列面に当接する切欠部を備えた仕切り部と、この仕切り部下端に設けられ仕切り部を陳列面に対して直立させるベース部とを備えるとともに、ベース部を取り付け方向に延長して形成し、この延長部と切欠部とにより陳列台を挟持して仕切り板を取り付けるようにしたことにより、陳列台に、延長部と切欠部とを差し入れると、仕切り板は、切欠部と延長部とで陳列台を挟み込んで陳列台に装着される。仕切り板を差し入れ方向と逆に引き抜くと、仕切り板は陳列台から離脱する。
【００４１】
請求項１９に係る仕切り板は、請求項１ないし１７のうちいずれか１に記載の陳列台に装着されるようにしたものである。
【００４２】
請求項１９に係る仕切り板では、請求項１ないし１７のうちいずれか１に記載の陳列台に装着されるようにしたことにより、仕切り板は、陳列面に緩衝性、復元性、高摩擦性を持った陳列面に取り付けられる。このため、仕切り板は、外力が加えられても陳列面に沿って動きにくいので、ずれにくい。このため、商品の移動による売価間違いを防止することができる。
【発明の効果】
【００４３】
本発明の請求項１に係る陳列台は、商品を載置して陳列する陳列台を、高摩擦性および非透水性を有する緩衝性素材により構成しているので、傷みやすい商品であっても傷つきにくく、商品価値を長時間維持することができ、コストダウンを図ることができる。陳列面に載せた商品は滑りにくいため、積み重ねて陳列しても崩れにくくなり、多数積み重ねて陳列することができ、陳列し直す手間を省いて作業性が向上するとともに、仕切り板に当たってずれることがなくなり、売価間違いを防ぐことができる。また、陳列面は水を透さないので、例え、水滴や商品から出る汁が付着しても内部にしみこむことがなく、容易に洗い流すことができ、清浄な状態に保ちやすく、保守管理作業が効率化される。
【００４４】
本発明の請求項１０に係る陳列台は、商品を載置して陳列する陳列台を、本体と、この本体の表面に設けられ合成樹脂を独立気泡発泡させて形成したマット材とを備えて構成しているので、本体がたとえ硬質のものであっても、陳列面に緩衝性、復元性、高摩擦性、撥水性を持たせることができる。このため、傷みやすい商品であっても傷つきにくい。さらに、陳列面に載せた商品は滑りにくいため、積み重ねて陳列しても崩れにくくなり、多数積み重ねて陳列することができ、陳列し直す手間を省くことができる。また、陳列面は水をはじくので、水滴や汁が付着しても内部にしみこむことがなく、容易に洗い流すことができ、清浄な状態に保ちやすく、保守管理作業が効率化される。本体を、従来のような硬質の材質で構成しているので、既成のものを利用することができる。
【００４５】
本発明の請求項１２に係る陳列台は、商品を載置して陳列する陳列台を、合成樹脂を発泡させて形成した独立気泡発泡体からなり内部に充填空間が形成される袋体と、この袋体の充填空間内に出し入れ可能に充填され袋体を所定の形状に整える緩衝物質とを備えて構成しているので、緩衝物質を詰め替え、商品に適した緩衝性を確保することができ、多様な商品に対応させることができる。このため、多様な商品について商品価値を長時間維持することができ、コストダウンを図ることができる。また、陳列面に載置された商品は滑りにくくなるため、多数積み重ねて陳列することができ、陳列し直す手間を省いて作業性が向上する
【００４６】
本発明の請求項１３に係る陳列台は、商品を載置して陳列する陳列台を、内部に充填空間が形成される袋体と、この袋体の充填空間内に出し入れ可能に充填され袋体を所定の形状に整える緩衝物質とを備えて構成するとともに、この袋体を、ゴム、ゲル、ナイロン、ビニール、塩化ビニール、非透水性布地のうちいずれか１により構成しているので、緩衝物質を詰め替え、商品に適した緩衝性を確保することができ、多様な商品に対応させることができる。このため、多様な商品について商品価値を長時間維持することができ、コストダウンを図ることができる。
【００４７】
本発明の請求項１７に係る仕切り板は、陳列台の陳列面を仕切る仕切り板において、陳列面に当接する切欠部を備えた仕切り部と、この仕切り部下端に設けられ仕切り部を陳列面に対して直立させるベース部とを備えるとともに、ベース部を取り付け方向に延長して形成し、この延長部と切欠部とにより陳列台を挟持して仕切り板を取り付けるようにしているので、仕切り板を陳列台に確実に取り付けることができかつ容易に取り外しができる。
【発明を実施するための最良の形態】
【００４８】
商品が傷みにくく、滑りにくい、かつ軽量な陳列台を得るとともに、取り付け取り外しが容易でずれにくい仕切り板を得るという目的を、商品を載置して陳列する陳列台を、合成樹脂を発泡させて形成した独立気泡発泡体により構成し、仕切り板を、ベース部を取り付け方向に延長して形成し、この延長部と切欠部とにより陳列台を挟持して仕切り板を取り付けるように構成したことにより実現した。
【実施例１】
【００４９】
以下、図面に示す実施例により本発明を説明する。図１の（Ａ）ないし（Ｃ）はそれぞれ、本発明の第１の実施例に係る陳列台の本体を示す斜視図、本体に貼着されるシート状マット材を示す説明図および最終製品の陳列台を示す斜視図である。本実施例に係る陳列台２は、図１の（Ａ）に示すように、合成樹脂を発泡させて形成した独立気泡発泡体により構成され、直方体状に成型された本体３を備えている。合成樹脂は、ポリエチレン、ポリプロピレン、ポリスチレン、ＡＢＳ樹脂、ウレタンフォーム、エラストマーのうちいずれか１を選択して、または、この選択された樹脂にこれら各樹脂のうち他の樹脂を混合して用いられる。本実施例では、ポリエチレンを用いた例を示す。この本体３は、ポリエチレン原料を２５倍で独立気泡発泡させて製造される。以下、独立気泡発泡を単に独立発泡と称する。
【００５０】
この本体３の成型は、図４の（Ａ）、（Ｂ）に示すように、予め所定の規格に基づいて２５倍の独立発泡で直方体に成型されたブロック２０を、所望の形状に切り出して行われるか、あるいは、図５の（Ａ）、（Ｂ）に示すように、予め本体３の形状に応じた金型２１を製造し、この金型２１を用いてブロー・インジェクション（ブロー成形）により行われるようになっている。本体３の寸法は、本実施例では、高さ１００mm×横６１０mm×奥行き１５０mmに設定しているが、これに限られるものではない。なお、図４の（Ａ）、（Ｂ）、図５の（Ａ）、（Ｂ）はそれぞれ、後述する図２に示す実施例に対応した上面が傾斜した四角柱形状の本体６の切り出しおよび射出成形を示す。
【００５１】
本体３には、厚さ２mmのシート状のマット材４が上面３Ａ全面、正面３Ｂ全面および底面３Ｃの正面３Ｂ側の一部に寸法Ｌ１分延長して巻き込むように貼り付けられる。マット材４は、ポリエチレン原料を１５倍で独立発泡させて製造される。こうして、陳列台２は、ポリエチレンを２５倍に独立発泡させて成形した本体３に、ポリエチレンを１５倍に独立発泡させてシート状に成形されたマット材４を貼着して構成され、内側と外側とが発泡倍率の異なる独立発泡体により形成されるようになっている。なお、マット材４の厚さは２mmに限定されるものではなく、商品の種類や陳列台２の用途に応じて適宜設定してよいことはいうまでもない。
【００５２】
次に、上記第１の実施例に係る陳列台２の作用について説明する。陳列台２は、商品が陳列される陳列面５が、マット材４により覆われている。マット材４は、ポリエチレンの１５倍独立発泡体からなっているので、緩衝性、復元性、高摩擦性、撥水性を備えているこのため、傷みやすい商品を陳列面５に陳列しても、マット材４の緩衝性だけでなく、本体３の緩衝性能をより高めている（すなわち、発泡倍率が高い）ため、外側の比較的に硬い緩衝作用と内側の比較的に柔らかい緩衝作用との両緩衝作用によるクッション性で商品を保護することができ、傷つきにくい。また、陳列面５は商品がなくなると凹みが残ることなく元の形状に復帰する。さらに、陳列面５に載せた商品は滑りにくいため、積み重ねて陳列しても崩れにくくなる。また、陳列面５は水をはじくので、例え、水滴や商品から出る汁が付着しても内部にしみこむことがなく、容易に洗い流すことができ、保守管理作業が効率化される。しかも、陳列台２の本体３も発泡体から構成されているので、陳列台２は軽量化される。また、マット材４は端部が底面３Ｃに延長されて貼り付けられているため、剥がれにくくなっている。
【００５３】
さらに、本実施例で発泡させる材料にポリエチレンを選択し、独立発泡体としてのは、材料コストが低いため、製造コストを低減させることができること、鋸やカッターナイフで容易に切断することができ、加工性に優れ、多種多様な売り場レイアウトに対応させることができること、紫外線に対する抵抗性が強く、耐候性に優れること、軽量であること、ポリオレフィン樹脂であるため環境への配慮があること、気泡が独立しているため、水分や商品からでる汁を吸収しないこと（これに対し、連続気泡発泡体では、水分を吸収する。）による。また、マット材４をポリエチレンの１５倍独立発泡体により形成したのは、伸縮性があり、摩擦係数が高いこと、弾力性に優れていることによる。摩擦係数が高いと、商品が滑りにくく、陳列した商品や積み上げた商品が崩れにくく、陳列し直す手間が省ける。商品が滑りにくいため、陳列の難しい商品であってもベテランの作業員に頼る必要がなくなる。商品が滑りにくいため、仕切り板が押されにくく、ずれにくいので、売価間違いを防止することができる。本実施例では、発泡体にポリエチレンを用いているがこれに限られるものではなく、ポリプロピレン、ポリスチレン、ＡＢＳ樹脂、ウレタンフォーム、エラストマーのうちいずれか１つを用いてもよいし、この選択された樹脂にこれら各樹脂のうち他の樹脂を混合して用いるようにしてもよい。さらに、マット材４は、２５倍発泡の本体３に比べて少し硬めの１５倍発泡としているため、耐久性が向上するようになっている。なお、上記実施例では、本体３を２５倍発泡、マット材４を１５倍発泡としているがこれに限られるものではなく、これら両者の発泡倍率を陳列する商品に応じて変更してもよいことはいうまでもない。発泡倍率が高くなれば、柔らかさやクッション性が増し、軽量化される。その反面、傷つきやすく、耐久性が低下する。発泡倍率が低下すれば、硬さの度合いが増大し、稠密化されるので、重量が増す反面、耐久性が向上する。このため、陳列台では、内部を高倍率で発泡させ、外面側を低倍率で発泡させることが好ましい。実験結果から、陳列台内側の発泡倍率を１５〜３０倍とし、陳列台外側の発泡倍率を５〜２０倍としても、それぞれの発泡倍率に応じた緩衝性、復元性、高摩擦性、撥水性が得られた。
【００５４】
このように、本実施例に係る陳列台２では、商品が傷みにくく、商品価値を長時間維持することができ、コストダウンを図ることができる。また、陳列面に載置された商品は滑りにくくなるため、多数積み重ねて陳列することができ、陳列し直す手間を省いて作業性が向上するとともに、仕切り板に当たってずれることがなくなり、売価間違いを防ぐことができる。しかも、積み重ねによりお客に対するアピール性が強まる。さらに、陳列面は水をはじくので、水滴や汁が付着しても内部にしみこむことがなく、容易に洗い流すことができ、清浄な状態に保ちやすく、保守管理作業が効率化される。また、発泡体から構成される陳列台は軽量化されるので、取り扱いし易くなる。
【実施例２】
【００５５】
図２の（Ａ）、（Ｂ）は、第２の実施例に係る陳列台７を示すもので、上記第１の実施例に係る陳列台２では、本体３が直方体に成形されているのに対し、本実施例に係る陳列台７の本体８は、上面８Ａが傾斜した四角柱状に形成される点を除いて、上記第１の実施例に係る陳列台２とほぼ同一である。すなわち、本体８は、高さ１４mm×横６１０mmの正面８Ｂと、この正面８Ｂから１８０mmの奥行きを隔てた高さ８８mm×横６１０mmの裏面８Ｄと、これら裏面８Ｄと正面８Ｂの各上端間に形成される上面８Ａとを備えており、この本体８には、マット材４が貼着されるようになっている。本体８は、ポリエチレン原料を２５倍で独立発泡させ、マット材４は、ポリエチレン原料を１５倍で独立発泡させてそれぞれ形成されるようになっている。
【実施例３】
【００５６】
図３の（Ａ）、（Ｂ）はそれぞれ、本発明の第３の実施例に係る陳列台１０とその変形例に係る陳列台１１を示すもので、第３の実施例に係る陳列台１０は、上記第１および第２の実施例に係る陳列台２、７がそれぞれ、マット材４を貼着しているのに対し、このようなマット材４を用いず、２５倍の発泡倍率で独立発泡された本体１２のみを用いる点が異なっている。すなわち、陳列台１０は、本体１２を、まず、ポリエチレン原料を２５倍の発泡倍率で独立発泡させて、所望の直方体寸法（高さ１００mm×横６１０mm×奥行き１５０mm）で成形するようになっている。成形は、図４の（Ａ）、（Ｂ）に示すように、予め所定の規格に基づいて２５倍の独立発泡で直方体に成型されたブロック２０を、所望の形状に切り出して行われるか、あるいは、図５の（Ａ）ないし（Ｃ）に示すように、予め本体１２の形状に応じた金型２１を用いてブロー成形により行われる。金型２１で行う場合、金型２１に予めしぼ柄加工を施しておくと、成形された本体１２の表面にしぼ柄が形成され、傷が付いても目立ちにくいようになっている。
【００５７】
次に、こうして成形された本体１２に対して、熱と圧力を加えて表面側１２Ａの発泡倍率を低下させ、表面側１２を硬化させる。表面側１２の発泡倍率は、加熱温度、加圧圧力、加圧時間により所望の倍率に落とすことができるようになっている。本実施例では、表面側１２Ａの発泡倍率が１５倍となるように熱と圧力を加えるようになっている。こうして、本実施例に係る陳列台１０では、一体ものの本体１２に表面側１２Ａの発泡倍率を低下させて硬化させる加工を行い、陳列台１０の内側１２Ｂの発泡倍率を高くしてクッション性や復元性を確保し、外側１２Ａの発泡倍率を低下させて耐久性を向上させるようにしている。
【００５８】
次に、上記第３の実施例に係る陳列台１０の作用について説明する。陳列台１０は、合成樹脂（ポリエチレン）を２５倍の発泡倍率で発泡させた発泡体を所望の形状に成形した本体１２に、熱と圧力を加えて表面側１２Ａの発泡倍率を低下させて形成されるようになっているので、上記第１および第２の実施例に係る陳列台２、７のように、マット材４を貼着する二次加工が不要になるので、コストダウンを図ることができる。
【００５９】
図３の（Ｂ）は、第３の実施例の変形例に係る陳列台１１を示すもので、上記第３の実施例に係る陳列台１０が直方体形状に成形されているのに対し、この変形例に係る陳列台１１は、上面１３が傾斜した四角柱状に形成される点を除いて、上記第３の実施例に係る陳列台１０とほぼ同一の構成を有している。すなわち、この変形例に係る陳列台１１は、一体ものの本体１４に表面側１４Ａの発泡倍率を低下させて硬化させる加工を行い、内側１４Ｂの発泡倍率を高くしてクッション性や復元性を確保し、外側１４Ａの発泡倍率を低下させて耐久性を向上させるようにしている。
【００６０】
なお、上記各実施例および変形例では、陳列台２、７、１０、１１を独立発泡体で構成しているがこれに限られるものではなく、内部を連続気泡発泡による発泡体で構成し、外側全面を独立発泡体で覆うようにしてもよい。また、上記各実施例および変形例では、陳列台２、７、１０、１１の内側の発泡倍率を高くし、外側の発泡倍率を低くしているがこれに限られるものではなく、多様な商品に応じて逆にしてもよいこというまでもない。
【実施例４】
【００６１】
次に、本発明の第４の実施例に係る陳列台３０について、図６の（Ａ）ないし（Ｄ）に基づいて説明する。第４の実施例に係る陳列台３０は、上記各実施例および変形例に係る陳列台２、７、１０、１１が、台自体を合成樹脂を発泡させた発泡体で構成しているのに対し、非発泡体で、緩衝性、弾性および復元性を有する材料（例えば、非発泡の合成樹脂板やばね）により本体３１を形成する点が異なっている。本実施例に係る陳列台３０は、まず、非発泡材料により本体３１を形成するとともに、ポリエチレン原料を２５倍の発泡倍率で独立発泡させて袋状に形成した袋体３２を形成する。次に、この袋体３２に本体３１を入れて密閉する。次に、本体３１が密閉された袋体３２に熱と圧力を加え、袋体３２の発泡倍率を低下させ、袋体３２を硬化させるようになっている。このように、本実施例に係る陳列台３０では、陳列面３３だけでなく、本体３１にも緩衝性と復元性を持たせることができ、緩衝性能および復元性能が向上する。
【００６２】
なお、上記実施例では、本体３１を、非発泡体で、緩衝性、弾性および復元性を有する材料により構成しているがこれに限られるものではなく、従来のような硬質のボックス状陳列台本体に、独立発泡体からなる袋体３２を被せて密閉してもよい。この場合、本体がたとえ硬質のものであっても、所定の厚さの独立発泡体で覆うことにより陳列面に緩衝性、復元性、高摩擦性、撥水性を持たせることができる。このため、既成の硬質なボックス状本体を利用することができ、コストダウンを図ることができる。
【実施例５】
【００６３】
次に、本発明の第５の実施例に係る陳列台４０について、図７の（Ａ）ないし（Ｃ）に基づいて説明する。第５の実施例に係る陳列台４０は、上記第４の実施例に係る陳列台３０が、袋体３２の内部に固形の本体３１を納めるようにしているのに対し、固形の本体３１に代えて、袋体４１の内部に緩衝物質４２を出し入れ自在に注入するようにした点が異なっている。すなわち、本実施例に係る陳列台４０は、まず、ポリエチレン原料を１５倍の発泡倍率で発泡させ、内部に充填空間Ｓ１が有する袋体４１を形成する。次に、緩衝物質（高圧のエア、水、またはゼリー状のゲル物質等）４２を、外部から充填空間Ｓ１に注入し、この緩衝物質４２の注入により袋体４１を予め決められた所望の陳列台４０の形状に整えるようになっている。このように、本実施例に係る陳列台４０は、独立発泡体の袋体４１内に緩衝物質４２が充填されているので、内部を発泡倍率の高い発泡体で構成するのと同様に緩衝性や弾力性および復元性を持たせることができる。そして、緩衝物質４２は、高圧のエア、水、またはゼリー状のゲル物質等のように気体または液体からなる流動物質もしくはゼリー状ゲル物質からなっているので、注入口４３から出し入れ自在となっている。このため、袋体４１に充填される緩衝物質４２に応じて緩衝性能を異ならせることができ、商品に応じて、緩衝物質４２を詰め替え、商品に適した緩衝性を確保することができる。しかも、陳列面は独立発泡体で構成されているので、緩衝性、復元性、高摩擦性、撥水性を持たせることができる。緩衝物質４２は、高圧のエア、水、またはゼリー状のゲル物質のいずれか１に限られるものではなく、例えば、水とエアを混入させるようにしてもよい。
【００６４】
なお、上記第５の実施例では、袋体４１を独立発泡体により構成しているが、これに限られるものではなく、袋体４１を、ゴム、ゲル、ナイロン、ビニール、塩化ビニールまたは非透水性布地（テント地）で構成するようにしてもよい。この場合、袋体の形成が容易なので、コストが低減される。また、上記各実施例および変形例では、陳列台２、７、１０、１１、３０、４０の表面側（外側）を独立発泡体で構成しているが、上面にゲル物質の層を形成し、摩擦係数を高めてより滑りにくくするとともに、商品の表面に柔らかく接するようにしてもよい。また、上記各実施例および変形例では、陳列面（表面側）の発泡倍率を好ましくは１５倍に設定しているがこれに限られるものではなく、商品に応じて適宜設定してもよいことはいうまでもない。
【実施例６】
【００６５】
次に、本発明の第１の実施例に係る仕切り板について説明する。図８の（Ａ）、（Ｂ）はそれぞれ、本発明の第１の実施例に係る仕切り板５０を示す斜視図および正面図である。本発明の第１の実施例に係る仕切り板５０は、上記各実施例および変形例に係る陳列台２、７、１０、１１、３０、４０に取り付けられるようになっている。仕切り板５０は、陳列面５に当接する切欠部５１を備えた仕切り部５２と、この仕切り部５２の下端に設けられ仕切り部５２を陳列面５に対して直立させるベース部５３とを備えている。仕切り板５０は、切欠部５１が切り欠かれベース部５３が一枚板状に形成された硬質の透明な合成樹脂を成型した後、ベース部５３を熱により仕切り部５２に対して直角に折り曲げて形成される。
【００６６】
ところで、本実施例に係る仕切り板５０は、ベース部５３を取り付け方向に所定の寸法Ｌ２延長して形成するようになっている。この延長部５３Ａと切欠部５３との間の寸法Ｌ３は、取り付けられる陳列台２の高さ寸法より若干短寸に設定される（本実施例の場合、陳列台２の高さ寸法に対し２〜３％短くしている。）。この仕切り板５０は、延長部５３Ａと切欠部５３との間に画成される開放された空隙Ｓ２に陳列台２が嵌り込むように、切欠部５１と延長部５３Ａとで陳列台２の陳列面５と底面とを挟み込んで取り付けられるようになっている。
【００６７】
次に、本実施例に係る仕切り板５０の作用について説明する。仕切り板５０は、陳列台２に延長部５３Ａと切欠部５１とを差し入れられると、切欠部５１が陳列面５に当接し延長部５３Ａが底面を押圧した状態で陳列台に装着される。装着時、延長部５３Ａと切欠部５３との間の寸法Ｌ３は、取り付けられる陳列台２の高さ寸法より若干短寸に設定されているので、切欠部５１と延長部５３Ａとがそれぞれ陳列台２の陳列面５と底面とを押圧した状態で保持される。このため、仕切り板５０は、左右の一方から外力を受けてもずれにくい。このため、商品が陳列台２上を移動して売価間違いが起こるのを防ぐことができる。仕切り板５０を差し入れ方向と逆に引き抜くと、仕切り板５０は陳列台２から容易に離脱する。
【実施例７】
【００６８】
図９の（Ａ）、（Ｂ）はそれぞれ、上記仕切り板５０の変形例を示すもので、（Ａ）に示す仕切り板６０は、ベース部６３が仕切り部６２の左右両端に形成されて、延長部６３Ａはベース部６３から差し入れ方向に延長されている。図９の（Ｂ）に示す仕切り板７０は、ベース部７３が仕切り部７２の左右両端に形成されて、延長部７３Ｃは左右両ベース部７３Ａ、７３Ｂのうち一方にベース部７３Ｂから差し入れ方向に延長されている。
【００６９】
なお、上記第１および第２の実施例に係る仕切り板５０、８０、９０では、表面側が発泡体で構成された陳列台２、７、１０、１１、３０、４０に取り付けられるようになっているが、これに限られるものではなく、従来のような硬質のボックス状陳列台に取り付けるようにしてもよいことはいうまでもない。この場合も、延長部により陳列台にしっかりと装着されるので、横ずれが防止される。また、上記第１の実施例に係る仕切り板５０では、一台の陳列台２に取り付けられるようにしているがこれに限られるものではなく、階段状に配置された陳列台に取り付けることができるように、仕切り部を、予め決められ階段状に配置された陳列台に沿って形成し、仕切り部には、階段状陳列台に対応して複数の切欠部を形成するとともに、切欠部にベース部を設け、これらベース部のうち切欠部との間で陳列台を挟み込み可能なベース部について延長部を形成するようにしてもよい。このように構成することにより、階段状に配置された陳列台であっても、仕切り板を取り付けることができる。
【図面の簡単な説明】
【００７０】
【図１】（Ａ）ないし（Ｃ）はそれぞれ、本発明の第１の実施例に係る陳列台の本体を示す斜視図、本体に貼着されるシート状マット材を示す説明図および最終製品の陳列台を示す斜視図である。（実施例１）
【図２】（Ａ）、（Ｂ）はそれぞれ、第２の実施例に係る陳列台を示す陳列台の本体を示す斜視図および最終製品の陳列台を示す側面図である。（実施例２）
【図３】本発明の第３の実施例に係る陳列台を示す説明図およびその変形例に係る陳列台を示す説明図である。（実施例３）
【図４】（Ａ）、（Ｂ）はそれぞれ、独立発泡により予め所定の規格に基づいて直方体に成型されたブロックから陳列台を切り出す際の説明図および切り出された陳列台を示す説明図である。
【図５】（Ａ）、（Ｂ）はそれぞれ、金型により成形を示す説明図および金型から取り出した状態を示す説明図である。
【図６】（Ａ）ないし（Ｄ）はそれぞれ、第４の実施例に係る陳列台が最終製品に至るまでの工程を示す説明図である。（実施例４）
【図７】（Ａ）ないし（Ｃ）はそれぞれ、第５の実施例に係る陳列台の袋体を示す説明図、袋体に緩衝物質を充填する状態を示す説明図および最終製品を示す斜視図である。（実施例５）
【図８】（Ａ）、（Ｂ）はそれぞれ、本発明の第１の実施例に係る仕切り板を示す斜視図および正面図である。（実施例６）
【図９】（Ａ）、（Ｂ）はそれぞれ、第１の実施例に係る仕切り板の変形例を示す説明図である。（実施例７）
【符号の説明】
【００７１】
２  陳列台
５０  仕切り板
５１  切欠部
５２  仕切り部
５３  ベース部
５３Ａ  延長部
【図１】
2007130152.tif 000003
【図２】
2007130152.tif 000004
【図３】
2007130152.tif 000005
【図４】
2007130152.tif 000006
【図５】
2007130152.tif 000007
【図６】
2007130152.tif 000008
【図７】
2007130152.tif 000009
【図８】
2007130152.tif 000010
【図９】
2007130152.tif 000011